(57)【要約】【課題】測定器本体から離間した測定箇所にテストリードの接触端を当てる操作を行いつつ、測定者が測定箇所から視線を外す必要なく測定結果又は測定器の状態を容易に認識することが可能な測定器を提供する。【解決手段】測定器本体１０と、測定器本体１０の一側面に設けられた情報を表示するための表示部１６と、測定器本体１０に接続されたテストリード１４と、を有する測定器１は、表示部１６を上側に向けて測定者の前側に保持された状態で測定者の前方を照射する測定器本体１０に設けられた照射手段１８と、テストリード１４を用いて行った測定結果又は当該測定器１の状態に応じて照射手段１８による光の照射状態を切り替える測定器本体１０に設けられた制御部１１と、を有する構成とする。【選択図】図１
2013092477.tif 000002
【特許請求の範囲】
【請求項１】
測定器本体と、前記測定器本体の一側面に設けられた情報を表示するための表示部と、前記測定器本体に接続されたテストリードと、を有する測定器において、
前記表示部を上側に向けて測定者の前側に保持された状態で測定者の前方を照射する前記測定器本体に設けられた照射手段と、
前記テストリードを用いて行った測定結果又は当該測定器の状態に応じて前記照射手段による光の照射状態を切り替える前記測定器本体に設けられた制御部と、
を有することを特徴とする測定器。
【請求項２】
前記測定器本体を測定者の前側に保持可能に前記測定器本体と関係付けられた首かけベルトを有し、前記首かけベルトにより前記測定器本体は測定者の腹部又は胸部上に配置されることを特徴とする請求項１に記載の測定器。
【請求項３】
前記測定結果は、測定値が予め設定された所定の条件を満たすか否かであることを特徴とする請求項１又は２に記載の測定器。
【請求項４】
前記測定結果は、測定値が予め設定された所定の閾値未満であるか該閾値以上であるかであることを特徴とする請求項３に記載の測定器。
【請求項５】
前記測定器の状態は、測定中であるか否か、測定値が確定したか否か、エラー又は警告事象が発生したか否か、又は当該測定器が異常であるか否かであるかであることを特徴とする請求項１〜４のいずれかの項に記載の測定器。
【請求項６】
前記制御部は、前記測定結果又は当該測定器の状態を示す予め設定された少なくとも２つの区分のそれぞれに対応して、前記照射手段が照射する光の色を切り替えることを特徴とする請求項１〜５のいずれかの項に記載の測定器。
【請求項７】
前記制御部は、前記測定結果又は当該測定器の状態を示す予め設定された少なくとも２つの区分のそれぞれに対応して、前記照射手段の点灯の有無、点滅の有無、又は点滅間隔を切り替えることを特徴とする請求項１〜６のいずれかの項に記載の測定器。
【請求項８】
前記照射手段は、光源としてＬＥＤ、レーザー又は白熱灯を有すること特徴とする請求項１〜７のいずれかの項に記載の測定器。
【発明の詳細な説明】
【技術分野】
【０００１】
本発明は、測定器本体からリード線を介して引き出されたプローブであるテストリードを有する測定器に関するものであり、より詳細には、測定器本体の表示器における表示の他に、測定者に測定結果又は測定器の状態を報知する機能を備えた測定器に関するものである。
【背景技術】
【０００２】
従来、例えば、測定対象（被測定電気機器、被測定回路）に対する印加電圧と漏れ電流との比として捉えられる絶縁抵抗を測定する絶縁抵抗計がある。絶縁抵抗計は、測定対象に印加される定格測定電圧と、該電圧の印加時に測定対象に流れる電流（漏れ電流）との比から、測定対象の絶縁抵抗を測定する。
【０００３】
上述のような絶縁抵抗計として、測定対象に印加する定格測定電圧ごとに基準値が記憶部に記憶されており、指定した定格測定電圧を測定対象に印加して測定された絶縁抵抗の測定値（絶縁抵抗値）と基準値とを比較し、その比較による判定結果を測定器本体に設けられた表示部に表示するようになっているものがある（絶縁抵抗判定）。例えば、図４に示すように、絶縁抵抗値が基準値未満の場合には「ＦＡＩＬ（或いはＬｏ）」と（図４（ａ））、又絶縁抵抗値が基準値以上の場合には「ＰＡＳＳ（或いはＨｉ）」と（図４（ｂ））、液晶表示パネルなどとされる測定器本体２００の表示部２０１に表示する。又、上記表示に代えて又は加えて、判定結果に応じてブザーを鳴らすものもある（特許文献１参照）。
【０００４】
これによれば、単に表示部に絶縁抵抗値自体が表示され、測定者がその絶縁抵抗値が基準値以上であるか基準値未満であるかを求めなければならないものと比較して、測定者が即座に絶縁抵抗値と基準値との比較による判定結果を認識できるため、明確且つ迅速な判定が可能である。
【先行技術文献】
【特許文献】
【０００５】
【特許文献１】特開２０００−２１４１９４号公報
【発明の概要】
【発明が解決しようとする課題】
【０００６】
しかしながら、上記従来の技術には、次のような改善すべき課題があった。
【０００７】
即ち、図４に示すような絶縁抵抗計で絶縁抵抗判定を行うには、例えば表示部のみに判定結果が表示される場合は、テストリードの接触端を測定箇所に当てて、測定スイッチを押すことで測定を開始し、その後測定器本体の表示部に表示された判定結果を視認する必要がある。従って、この場合、測定者は判定結果を知るために、テストリードの接触端を測定箇所に当てながら、測定器本体の表示部に目を移さなければならない。そのため、測定器本体の表示部を見ている間に、テストリードの接触端が測定箇所から誤って離間してしまったり、望まない箇所（例えば、絶縁部分）に当ててしまったりして、判定結果を誤る可能性がある。
【０００８】
又、上述のようにブザーにより判定結果を知らせるものがあるが、例えば生産ラインや屋外など雑音（騒音）の大きい測定環境では、ブザーの音が聞き取り難いため、判定結果を誤る可能性がある。
【０００９】
尚、以上では、絶縁抵抗計を用いた絶縁抵抗判定を例に従来の測定器における課題を説明したが、測定器本体から離間した測定箇所にテストリードの接触端を当てる操作を行いつつ、予め設定された所定の条件が成立（一定の事象の発生又は不発生）した場合に測定器が出力する報知結果を認識する必要のある場面では、同様の課題が生じ得る。
【００１０】
従って、本発明の目的は、測定器本体から離間した測定箇所にテストリードの接触端を当てる操作を行いつつ、測定者が測定箇所から視線を外す必要なく測定結果又は測定器の状態を容易に認識することが可能な測定器を提供することである。
【課題を解決するための手段】
【００１１】
上記目的は本発明に係る測定器にて達成される。要約すれば、本発明は、測定器本体と、前記測定器本体の一側面に設けられた情報を表示するための表示部と、前記測定器本体に接続されたテストリードと、を有する測定器において、前記表示部を上側に向けて測定者の前側に保持された状態で測定者の前方を照射する前記測定器本体に設けられた照射手段と、前記テストリードを用いて行った測定結果又は当該測定器の状態に応じて前記照射手段による光の照射状態を切り替える前記測定器本体に設けられた制御部と、を有することを特徴とする測定器である。
【発明の効果】
【００１２】
本発明によれば、測定器本体から離間した測定箇所にテストリードの接触端を当てる操作を行いつつ、測定者が測定箇所から視線を外す必要なく測定結果又は測定器の状態を容易に認識することが可能となる。
【図面の簡単な説明】
【００１３】
【図１】本発明の一実施例に係る絶縁抵抗計の概略機能ブロック図である。
【図２】本発明の一実施例に係る絶縁抵抗計の正面図である。
【図３】本発明の一実施例におけるライトの照射状態を説明するための模式図である。
【図４】従来の絶縁抵抗判定の結果表示態様の一例を説明するための模式図である。
【発明を実施するための形態】
【００１４】
以下、本発明の一実施例に係る測定器を図面に則して更に詳しく説明する。本実施例では、本発明に係る測定器は絶縁抵抗計として具現化される。
【００１５】
図１は、本発明の一実施例に係る絶縁抵抗計の概略機能ブロック図である。又、図２は、本実施例に係る絶縁抵抗計の正面図である。
【００１６】
絶縁抵抗計１は、測定器本体１０を有する。測定器本体１には、絶縁抵抗計１の各構成要素を統括的に制御するＣＰＵとされる制御部１１が設けられている。制御部１１には、それぞれ測定器本体１０に設けられた、記憶部１２、測定部１３、表示部１６、操作部１７などが接続されている。制御部１１は、ＥＥＰＲＯＭ（電気的に消去・書き込み可能なＲＯＭ）とされる記憶部１２に格納されたプログラム、データに従って、絶縁抵抗計１の各構成要素を制御する。
【００１７】
測定対象（被測定電気機器、被測定回路）Ｄについての所定の測定目的（パラメータ）を測定する測定部１３は、測定対象Ｄの測定箇所に対して所定の定格測定電圧を印加する測定電圧発生部と、定格測定電圧印加時に測定対象Ｄに流れる電流を検出する電流検出部と、定格測定電圧の印加時に測定電圧発生部が印加する電圧と電流検出部にて検出された電流とをそれぞれ所定のサンプリング間隔（例えば、２回／秒）でディジタルデータに変換するＡ／Ｄ変換部と、を備えている。制御部１１は、測定部１３のＡ／Ｄ変換部からの電圧データ及び電流データに基づいて測定対象Ｄの絶縁抵抗値を算出し、後述する絶縁抵抗判定の処理などを行う。
【００１８】
測定器本体１０には、一対の測定端子１５（１５１、１５２）が設けられている。一方の測定端子はアース側測定端子１５１であり、一対のテストリード１４（１４１、１４２）のうち一方のテストリードであるアース側テストリード１４１が着脱可能に接続される。又、他方の測定端子はライン側測定端子１５２であり、他方のテストリードであるライン側テストリード１４２が着脱可能に接続される。アース側測定端子１５１は、アース側テストリード１４１を介して測定対象Ｄの接地側に接続される。ライン側測定端子１５２はライン側テストリード１４２を介して測定対象Ｄの所定部位に接続される。上記一対のテストリード１４は、上記一対の測定端子１５を介して測定部１３に接続される。
【００１９】
尚、測定器本体１０からリード線を介して引き出されたプローブであるテストリード１４としては、種々のタイプのものを用いることができる。例えば、アース側テストリード１４１としては、図１に模式的に示すような周知の棒状のピン型テストリードの他、周知のはさみ状のワニ口型テストリードを用いてもよい。又、例えばライン側テストリード１４２として、後述する測定器本体１０の操作部１７の測定スイッチと同様の機能を果たす測定スイッチが設けられたものを用いてもよい。又、テストリード１４は、測定器本体１０に着脱可能とされていなくてもよい。
【００２０】
情報を表示するための表示部１６は、測定器本体１０の一側面に設けられている。本実施例では、表示部１６は、ディジタルディスプレイとしての液晶表示パネルとされる。
【００２１】
操作部１７には、測定スイッチ１７１、ファンクションスイッチ１７２、コンパレータボタン１７３及び表示部１６のバックライト点灯ボタン１７４が含まれている。ファンクションスイッチ１７２はロータリースイッチからなり、その切り換えステージとして、抵抗測定・導通チェック用レンジ〔Ω〕、〔ＯＦＦ〕レンジ、交流電圧測定用の〔ＡＣＶ〕レンジおよび定格測定電圧設定レンジを備えている。本実施例では、定格測定電圧設定レンジは、１２５Ｖ、２５０Ｖ、５００Ｖ、１０００Ｖが選択可能であり、この切り換えに応じて、測定部１３の測定電圧発生部から１２５Ｖ、２５０Ｖ、５００Ｖ、１０００Ｖのいずれかの電圧が測定対象Ｄに印加される。
【００２２】
尚、記憶部１２には、基準値テーブルが用意されており、これには定格測定電圧ごとに例えば複数の基準値が書き込まれている。そして、コンパレータボタン１７３を押すたびに基準値テーブルから基準値が一つずつ読み出されて、測定対象Ｄの絶縁抵抗判定に用いられる。
【００２３】
本実施例では、絶縁抵抗計１は、測定器本体１０を測定者Ｐの前側に保持可能に測定器本体１０と関係付けられた首かけベルト２０（図３）を有する。特に、本実施例では、測定器本体１０の対向する２つの側面（図２中の左右側面）上に、首掛けベルト２０を測定器本体１０に連結するためのベルト係合部として、一対のベルト通し１９（１９１、１９２）が設けられている。この首かけベルト２０により、測定器本体１０は測定者Ｐの腹部又は胸部上に配置される（図３）。
【００２４】
尚、首かけベルト２０は、測定器本体１０に直接連結されることに限定されるものではない。例えば、測定器本体１０を収容した状態で測定器本体１０を測定に供せるように構成されたケースに首かけベルト２０が連結されることで、そのケースに収容された測定器本体１０と首かけベルト２０が関係付けられてもよい。
【００２５】
そして、絶縁抵抗計１は、測定器本体１０に設けられた照射手段としてのライト１８を有する。ライト１８は、測定器本体１０が、表示部１６を上側に向けて、測定箇所に対面する測定者の前側に保持された状態で、測定者の前方を照射するように、測定器本体１０に設けられている。又、制御部１１は、テストリード１４を用いて行った測定結果に応じてライト１８による光の照射状態を切り替えることができる。本実施例では、制御部１１は、測定結果を示す予め設定された少なくとも２つの区分のそれぞれに対応して、ライト１８が照射する光の色を切り替える。特に、本実施例では、制御部１１は、測定結果として、測定値が予め設定された所定の条件を満たすか否かに応じて、ライト１８による光の照射状態を切り替えるようになっている。この場合、所定の条件を満たすとする測定結果と、満たさないとする測定結果とが、それぞれ上記測定結果を示す予め設定された２つの区分である。より詳細には、本実施例では、制御部１１は、測定結果（判定結果）として、絶縁抵抗の測定値（絶縁抵抗値）が予め設定された所定の閾値（基準値）未満であるか、該閾値（基準値）以上であるかに応じて、ライト１８による光の照射状態を切り替える。
【００２６】
更に説明すると、絶縁抵抗計１を用いて測定対象Ｄの絶縁抵抗判定を行う際、測定者は、測定器本体１０の一側面に設けられた表示部１６の表示内容を読み取ることができるように、測定器本体１０の表側（表示部１６が設けられている側面）１０ａを上側に向けると共に、図２中の下側を測定者に向け、図２中の上側を測定者から離れる側（測定者の前方）に向けて保持する（正規の測定姿勢）。
【００２７】
このとき、首かけベルト２０を用いる場合には、適宜の長さに調節された首かけベルト２０を首にかけることで、測定者が測定器本体１０を握ることなく、測定器本体１０は測定者の前側、より詳細には測定者の腹部又は胸部上に配置されて保持される。従って、測定者は、両手でテストリード１４を操作することができ、例えば上記測定スイッチ付きのライン側テストリード１４２を用いることで、測定者は測定器本体１０上の操作部１７によらずに、測定の開始／停止などの操作を行うことができる。
【００２８】
又、首かけベルト２０を用いる代わりに又はそれに加えて、測定者は、例えば左手で測定器本体１０の図２中左側を握ることで、測定器本体１０を測定者の前側に保持することができる。この場合は、例えば上記ワニ口型のアース側テストリード１４１を用いることで、例えば測定器本体１０を握っていない右手でライン側テストリード１４２を操作すると共に、左手で測定器本体１０の測定スイッチ１７１を操作することで、測定の開始／停止などの操作を行うことができる。勿論、この場合にも上記測定スイッチ付きのライン側テストリード１４２を用いてもよい。
【００２９】
そして、測定者が測定対象Ｄの測定箇所に対面する場合、上述のようにして測定器本体１０を保持した測定者の前方には測定対象Ｄの測定箇所がある。従って、この状態において、測定者によって保持された測定器本体１０に測定者の前方を照射するように設けられたライト１８は、測定対象Ｄの測定箇所又はその付近に光を照射することができる。
【００３０】
本実施例では、ライト１８は、少なくとも緑と赤（又はオレンジ）の２色の光を照射できるようになっている。そして、制御部１１は、測定された絶縁抵抗値が基準値以上である場合には、予め設定された合格範囲内であることを表すように、ライト１８から緑の光を照射させる。一方、制御部１２は、測定された絶縁抵抗値が基準値未満である場合には、予め設定された合格範囲外であることを表すように、ライト１８から赤（又はオレンジ）の光を照射させる。
【００３１】
これにより、測定者は、テストリード１４を操作しながら、測定対象Ｄの測定箇所から目を逸らさなくても、ライト１８によって照らされた測定対象Ｄの測定箇所又はその付近の色を見ることで、絶縁抵抗の判定結果を知ることができる。又、雑音（騒音）の大きい環境でも、視覚的に絶縁抵抗の判定結果を知ることができる。
【００３２】
尚、ライト１８の点灯は、測定値が安定してから一定期間だけ点灯させたり、スイッチ操作により測定値がホールドされたときに一定期間又は当該ホールドが解除されるまでの期間だけ点灯させたりすることができる。
【００３３】
ライト１８の照射強度（光量）、照射範囲は、測定器本体１０がその一側面に設けられた表示部１６を上側に向けて測定者の前側、より詳細には測定者の腹部又は胸部上に配置されて保持された状態で、測定者の前方における、測定器本体１０から離間した測定箇所又はその付近の所定範囲を十分な明るさで照射できるように、適宜設定することができる。ここで、「測定者の前方」は、測定者よりもその測定者が対面する測定対象Ｄの測定箇所側であればよい。又、「測定箇所又はその付近の所定範囲」は、測定者が測定箇所から視線を外すことなく視認可能な範囲であればよい。尚、測定器本体１０から測定対象Ｄの測定箇所までの距離は、測定器本体１０を保持した測定者がテストリード１４をその測定箇所に当てることができる程度の距離（例えば０．５ｍ〜１ｍ）である。
【００３４】
ここで、一般に、絶縁抵抗計による絶縁抵抗判定の操作は、屋内、とりわけ薄暗い測定環境で行われることが多い。従って、測定者が、測定器本体１０から離間した測定箇所にテストリード１４の接触端を当てる操作を行いつつ、測定箇所から視線を外すことなくライト１８による光の照射状態を視認できる範囲は比較的広い。一例として、薄暗い測定環境で、測定者の腹部上に配置されて保持された測定器本体１０から０．５ｍ〜１ｍ離れた測定対象Ｄの測定箇所を中心に半径０．２５ｍ〜０．５ｍの範囲を、照明されたことが認識できる程度に周囲と適当な照度差が得られるように照射することで好結果が得られる。当業者は、通常の設計的事項として、想定される測定環境、照射光の色などに応じて、ライト１８の照射強度、照射範囲を予め設定することが可能である。
【００３５】
ライト１８の光源としては、例えば、ＬＥＤ、レーザー又は白熱灯を用いることができる。本実施例のように、ライト１８から複数色の光を切り替えて照射できるようにする場合、小型で十分に高輝度のものが入手できることからＬＥＤが好ましい。一方、レーザーを用いた場合には、測定箇所に近い比較的狭い範囲をピンポイントで照射することが可能になる。又、白熱灯を用いた場合には、比較的広い範囲にわたって照射することが容易となる。上記測定者の前方の所定範囲を適当に照射する指向性を持たせるために、ライト１８は、光源に加えて遮光手段やレンズなどの光学部品を有していてもよい。例えば、砲弾型ＬＥＤなど、発光部とレンズの作用をなすケースとが一体的に構成された光源素子を好適に用いることができる。
【００３６】
本実施例では、図２に示すように、測定器本体１０の表側１０ａの前側縁部（図２中の上側）の近傍に、光源として高輝度のカラーＬＥＤを備えたライト１８を配置した。
【００３７】
尚、例えば、本実施例のように絶縁抵抗などとされる測定目的の測定値が合格範囲内である場合には安全であることを暗示する緑の光、合格範囲外である場合には危険を暗示する赤（又はオレンジ）の光を照射することで、判定結果の良否を照射光の色から直感的に判断することができる利点がある。但し、本発明はこれに限定されるものではなく、測定者に測定結果を知らせることができれば、任意の照射状態の切り替え態様とすることができる。例えば、制御部１１は、測定結果を示す予め設定された少なくとも２つの区分のそれぞれに対応して、ライト１８の点灯の有無、点滅の有無、又は点滅間隔を切り替えることができる。点灯の有無を切り替える場合、例えば、測定値が合格範囲外である場合にのみ点灯することができる。又、点滅の有無を切り替える場合、測定値が合格範囲内の場合は一定期間常時点灯させ、合格範囲外の場合にはその期間内に点滅させることができる。又、点滅間隔を切り替える場合、測定値が合格範囲内の場合は点滅間隔を長くし、合格範囲外の場合に点滅間隔を短くすることができる。これらの場合、ライト１８の光は白色光でも有色光であってもよい。
【００３８】
次に、本実施例の絶縁抵抗計１を用いて絶縁抵抗判定を行う場合の測定手順の一例について説明する。先ず、ファンクションスイッチ１７２にて所望とする定格測定電圧を選択する。コンパレータ機能を使用するには、ファンクションスイッチ１７２にて定格測定電圧を選択した上で、コンパレータボタン１７３を押して基準値テーブルから基準値を逐次読み出し、所望の基準値を表示部１６に表示させることで（図示せず）、その基準値を選択する。その後、測定対象Ｄの接地側と所定部位とをそれぞれアース側テストリード１４１とライン側テストリード１４２を介してアース側測定端子１５１とライン側測定端子１５２に接続する。次に、測定スイッチ１７１又はライン側テストリード１４２に設けられた測定スイッチをオンにする。これにより、測定対象Ｄの絶縁抵抗値が表示部１７に表示される。それと共に、制御部１１において測定された絶縁抵抗値と選択された基準値との大小関係の判定が行なわれ、測定値＜基準値の場合には、ライト１８から赤色の光が放射され、測定値≧基準値の場合には、ライト１８から緑の光が放射される。
【００３９】
尚、本実施例では、測定結果に応じてライト１８による光の照射状態を切り替える場合として、測定値が所定の条件を満たすか否か、より詳細には測定値が予め設定された所定の閾値未満であるか該閾値以上であるかに応じて切り替える場合について説明した。しかし、本発明はこれに限定されるものではなく、制御部１１が、測定器１の状態に応じてライト１８による光の照射状態を切り替えるようになっていてもよい。例えば、制御部１１は、測定器１の状態として、測定中であるか否か、測定値が確定したか否か、エラー又は警告事象が発生したか否か、又は当該測定器１が異常であるか否かに応じて、ライト１８による光の照射状態を切り替えることができる。エラー又は警告事象としては、これに限定されるものではないが、活線警告などが挙げられる。又、測定器１の異常としては、これに限定されるものではないが、測定器１の自己診断により判明した故障の存在や、電池容量の減少などが挙げられる。測定器１の状態を報知する場合も、上述の測定結果の報知の場合と同様、ライト１８が照射する光の色を切り替えたり、ライト１８の点灯の有無、点滅の有無又は点滅間隔を切り替えたりして、ライト１８による光の照射状態を切り替えることができる。
【００４０】
一例として、測定中であるか否かで切り替える場合、例えば、測定中に赤色の光を照射し、測定が終了（測定値をホールド）した場合に緑色の光を照射することができる。これにより、測定者は測定中はテストリード１４の操作に集中し、測定が終了した場合にのみ測定器本体１０の表示部１６に視線を移せばよい。同様に、測定値が確定したか否かで切り替える場合、例えば、確定するまでは赤色の光を照射し、確定した（測定値をホールド）した場合に緑色の光を照射することができる。又、エラー又は警告事象が発生したか否か、又は測定器が異常であるか否かで切り替える場合には、例えば、エラー又は警告事象が発生した場合、又は測定器が異常である場合にのみ、特定の色（例えば赤又はオレンジ）の光を照射したり、特別に短い間隔で点滅する光を照射したりすることができる。
【００４１】
尚、ライト１８による光の照射状態は、以上で例示した以外にも、例えば前述の照射状態のいずれをも任意に組み合わることができるし、その他の区別し得る複数の照射状態を任意に組み合わせて用いることができる。
【００４２】
以上、本実施例によれば、測定者の前方に向けて測定器本体１０の外側（測定者とは反対方向）に光を放射して、測定器本体１０以外の箇所であって測定者が測定箇所から視線を外すことなく報知結果を知ることができる箇所（測定箇所又は測定箇所の付近）に測定結果又は測定器の状態を、その放射した光の状態により表示する。そのため、測定者は、例えばブザーによる報知を妨げるような騒音の激しい環境でも、測定器本体１０の表示部１６を見ることなく、測定結果又は測定器の状態を確認することができる。測定器本体１０以外の箇所に照射した光の状態で情報を報知するので、比較的大面積の光照射箇所の光照射状態の変化により、測定者は容易に且つ瞬時に測定結果又は測定器の状態を知ることができる。これにより、テストリードが測定箇所から外れなようにして、測定作業を容易にすることができる。従って、本実施例によれば、測定器本体１０から離間した測定箇所にテストリードの接触端を当てる操作を行いつつ、測定者が測定箇所から視線を外す必要なく測定結果又は測定器の状態を容易に認識することが可能となる。
【符号の説明】
【００４３】
１          測定器
１０        測定器本体
１１        制御部
１４        テストリード
１６        表示部
１８        ライト（照射手段）
【図１】
2013092477.tif 000003
【図２】
2013092477.tif 000004
【図３】
2013092477.tif 000005
【図４】
2013092477.tif 000006